(57)【要約】      （修正有）【課題】容易に本体を湾曲した状態にできるとともに、該状態を保持できる物品入れを提供する。【解決手段】開いた状態および湾曲した状態にされ、内面側に物品の保持部を備える本体２と、前記本体に取り付けられたバンド３であって、湾曲状態から伸ばされることで断面形状が面外方向に膨出した形状となる伸び状態に遷移して前記本体を開いた状態に保持し、前記伸び状態において一部が前記面外方向と逆方向に変形する外力を受けることで前記湾曲状態に遷移して前記本体を湾曲した状態にするバンドと、を備えることを特徴とする物品入れ１。【選択図】図１
2020110263.tif 000002
【特許請求の範囲】
【請求項１】
開いた状態および湾曲した状態にされ、内面側に物品の保持部を備える本体と、
前記本体に取り付けられたバンドであって、湾曲状態から伸ばされることで断面形状が面外方向に膨出した形状となる伸び状態に遷移して前記本体を開いた状態に保持し、前記伸び状態において一部が前記面外方向と逆方向に変形する外力を受けることで前記湾曲状態に遷移して前記本体を湾曲した状態にするバンドと、
を備えることを特徴とする物品入れ。
【請求項２】
請求項１に記載の物品入れにおいて、
前記バンドは、開いた状態の前記本体の第１方向の中央部において、前記第１方向に直交する第２方向に沿って配置されることを特徴とする物品入れ。
【請求項３】
請求項２に記載の物品入れにおいて、
前記本体において前記第２方向の少なくとも一方の端部には、前記バンドの前記第１方向における両側に亘って前記第１方向に延びる芯材が取り付けられることを特徴とする物品入れ。
【請求項４】
請求項１から３のいずれか一つに記載の物品入れにおいて、
前記バンドは、前記湾曲状態である巻き状態から伸ばされることで、前記伸び状態に遷移して前記本体を開いた状態に保持し、前記伸び状態から前記外力を受けることで前記巻き状態に遷移し、前記本体を、少なくとも前記本体の巻き方向の両端の部位が重なるまで巻かれた状態にすることを特徴とする物品入れ。
【請求項５】
請求項４に記載の物品入れにおいて、
前記本体の内面側において、前記バンドの延びる方向である第２方向に直交する第１方向の端部において、前記第２方向の一方側の端部から離れた位置には、ペンを挿抜できるペンスロットが設けられ、
前記ペンスロットは、前記本体が巻かれた際に、前記本体における前記第２方向の他方側の端部が当たることによって、前記本体の巻き止めとして機能することを特徴とする物品入れ。
【発明の詳細な説明】
【技術分野】
【０００１】
本発明は、物品入れに関する。
【背景技術】
【０００２】
ペンや毛筆等の物品を本体で巻いて収容するロールタイプの物品入れが知られている（例えば特許文献１）。
【先行技術文献】
【特許文献】
【０００３】
【特許文献１】特開２０１５−１１２４６１号公報
【発明の概要】
【発明が解決しようとする課題】
【０００４】
ロールタイプの物品入れでは、本体の巻き留めは、一般的に、本体に紐を巻き付けたり、本体にベルトを巻いて留めたりすることで行われ、手間がかかる。
【０００５】
本発明の目的は、容易に本体を湾曲した状態にできるとともに、該状態を保持できる物品入れを提供することである。
【課題を解決するための手段】
【０００６】
本発明の要旨は以下のとおりである。
（１）開いた状態および湾曲した状態にされ、内面側に物品の保持部を備える本体と、
前記本体に取り付けられたバンドであって、湾曲状態から伸ばされることで断面形状が面外方向に膨出した形状となる伸び状態に遷移して前記本体を開いた状態に保持し、前記伸び状態において一部が前記面外方向と逆方向に変形する外力を受けることで前記湾曲状態に遷移して前記本体を湾曲した状態にするバンドと、
を備えることを特徴とする物品入れ。
（２）（１）に記載の物品入れにおいて、
前記バンドは、開いた状態の前記本体の第１方向の中央部において、前記第１方向に直交する第２方向に沿って配置されることを特徴とする物品入れ。
（３）（２）に記載の物品入れにおいて、
前記本体において前記第２方向の少なくとも一方の端部には、前記バンドの前記第１方向における両側に亘って前記第１方向に延びる芯材が取り付けられることを特徴とする物品入れ。
（４）（１）から（３）のいずれか一つに記載の物品入れにおいて、
前記バンドは、前記湾曲状態である巻き状態から伸ばされることで、前記伸び状態に遷移して前記本体を開いた状態に保持し、前記伸び状態から前記外力を受けることで前記巻き状態に遷移し、前記本体を、少なくとも前記本体の巻き方向の両端の部位が重なるまで巻かれた状態にすることを特徴とする物品入れ。
（５）（４）に記載の物品入れにおいて、
前記本体の内面側において、前記バンドの延びる方向である第２方向に直交する第１方向の端部において、前記第２方向の一方側の端部から離れた位置には、ペンを挿抜できるペンスロットが設けられ、
前記ペンスロットは、前記本体が巻かれた際に、前記本体における前記第２方向の他方側の端部が当たることによって、前記本体の巻き止めとして機能することを特徴とする物品入れ。
【発明の効果】
【０００７】
本発明の物品入れでは、開いた状態の本体を湾曲した状態にするには、本体を湾曲させることでまたはバンドを押す等して、バンドを伸び状態から湾曲状態に遷移させる。これにより、本体にバンドから湾曲するように力が働き、本体を容易に湾曲でき、また、バンドにより本体を湾曲した状態に保持できる。従って、本発明では、本体を湾曲させ、またその状態を保持するのに手間がかからない。なお、湾曲した状態の本体を開いた状態にするには、本体を開き、本体を開くことでまたはバンドを押すことで、バンドを伸び状態にすればよい。バンドが伸び状態となることで、本体が開いた状態に保持される。
【図面の簡単な説明】
【０００８】
【図１】開いた状態のペンケースの内面側を示す図である。
【図２】バンドを示す断面図である。
【図３】本体を巻かれた状態にする操作例を示す図である。
【図４】本体が巻かれていく様子を描いた模式図である。
【図５】巻かれた状態の本体において、外面側に位置する本体の端部を示す図である。
【図６】開いた状態のペンケースを示す平面図である。
【図７】ペンケースを示す斜視図である。
【図８】フラップ本体が閉じる様子を示す模式図である。
【図９】縦側のペンケースを示す模式図である。
【発明を実施するための形態】
【０００９】
図１は、開いた状態のペンケース１（物品入れ）の内面側を示す図である。
ペンケース１は、巻かれることでペンを内部に収容するロールタイプのものである。ペンケース１は、本体２と、バンド３とを備える。
【００１０】
本体２は、開いた状態から図１中左右方向に巻かれることでペンを内部に収容する。本体２は、開いた状態において矩形である。以下、開いた状態の本体２における図１中左右方向を巻き方向Ｘ（第２方向）と記載し、巻き方向Ｘと直交する図１中上下方向を幅方向Ｙ（第１方向）と記載する。本体２の巻き方向Ｘの長さは幅方向Ｙの長さよりも長い。本体２は、巻かれた際に外面側に位置する外面用生地２１１と内面側に位置する内面用生地２１２とが縁に沿って縫い合わされた基体２１を備える。外面用生地２１１の色と内面用生地２１２の色とは異なる。外面用生地２１１は例えばフェルトである。内面用生地２１２は例えばキャンバスである。
【００１１】
本体２の内面側において、幅方向Ｙにおける一方側（図１中上側）の端部には、複数のペンスロット２２（保持部）が巻き方向Ｘに沿って設けられる。複数のペンスロット２２は、巻き方向Ｘにおける他方側（図１中左側）に寄っている。巻き方向Ｘにおける一方側（図１中右側）の端に位置するペンスロット２２１と、本体２の巻き方向Ｘにおける一方側（図１中右側）の端部とは、距離Ｌ１だけ離れる。
【００１２】
ペンスロット２２を形成するには、巻き方向Ｘに長い矩形の生地を蛇腹状に撓ませ、谷部分、幅方向Ｙにおける一方側（図１中上側）の端部、巻き方向Ｘの両端部を基体２１に縫い付ける。これにより、該生地と基体２１とにより、幅方向Ｙの他方側が開いた袋状のペンスロット２２が複数形成される。該生地として、例えば外面用生地２１１と同じ生地が用いられる。ペンスロット２２にはペンを１本挿抜できる。ペンスロット２２は、差し込まれる１本のペンを保持する。ペンスロット２２の長さＬ２は、ペン先からグリップの途中までを保持する長さであり、一般的なものよりも短く設定されている（図３参照）。これにより、ペンスロット２２が、後述するバンド３（およびバンド３の収容空間Ｖ２）と重ならないようになっている。
【００１３】
本体２の内面側において、幅方向Ｙにおける他方側（図１中下側）の端部には、フラップ２３が設けられる。フラップ２３は、巻き方向Ｘにおける他方側（図１中左側）に寄って配置される。フラップ２３は、例えば外面用生地２１１と同じ生地で形成され、幅方向Ｙにおける他方側（図１中下側）の端部が基体２１の縁に沿って縫い付けられる。フラップ２３の巻き方向Ｘの長さＬ３は、ペンスロット２２の巻き方向Ｘの長さＬ３と同じである。フラップ２３の幅方向Ｙの長さＬ４は、ペンスロット２２の長さＬ２よりも短い。フラップ２３も、バンド３と重ならないように設けられる。フラップ２３は、一端側がペンスロット２２に差し込まれた十分な長さのペンの他端側の上にかけられることにより（図３参照）、ペンケース１が巻かれた際にペンの落下を防止する。
【００１４】
本体２の内面側において、幅方向Ｙにおける他方側（図１中下側）、かつ巻き方向Ｘにおける一方側（図１中右側）の隅部には、消しゴム入れ２４が設けられる。消しゴム入れ２４を形成するには、平面視矩形の生地の隅部を基体２１の隅部に沿って縫い付けるとともに、該生地の幅方向Ｙにおける一方側（図１中上側）の端部を基体２１に縫い付ける。これにより、該生地と基体２１とにより、巻き方向Ｘにおける他方側（図１中左側）が開く袋状の消しゴム入れ２４が形成される。該生地として、例えば外面用生地２１１と同じ生地が用いられる。消しゴム入れ２４の巻き方向Ｘにおける長さはＬ１である。消しゴム入れ２４の幅方向Ｙの長さは、Ｌ５であり、フラップ２３の長さＬ４およびペンスロット２２の長さＬ２よりも長い。消しゴム入れ２４も、バンド３と重ならない位置に設けられる。
【００１５】
本体２において、ペンスロット２２１よりも巻き方向Ｘの一方（図１中右）の端側には、基体２（外面用生地２１１と内面用生地２１２）を縫い合わせる縫い目２５１がある。縫い目２５１は、本体２の幅方向Ｙに亘っている。本体２の内部には、この縫い目２５１と本体２の縁部に沿う縫い目２５２とにより収容空間Ｖ１が形成される。収容空間Ｖ１は、本体２の幅方向Ｙに亘って延びる。収容空間Ｖ１内には、芯材２５が収容される。芯材２５は、収容空間Ｖ１の幅方向Ｙの長さと略同じ長さであり、バンド３の幅方向Ｙにおける両側に亘って延びる。芯材２５の素材として、基体２１よりも剛性が大きい金属や樹脂等を用いることができる。芯材２５は、外面用生地２１１および内面用生地２１２の少なくとも一方に接着等により固定されていてもよい。
【００１６】
本体２の幅方向Ｙにおける中央部には、幅方向Ｙに間隔を空けて、かつ巻き方向Ｘに亘って、基体２を縫い合わせる縫い目２６１，２６２がある。基体２１の内部には、この縫い目２６１，２６２と、芯材２５を収容するための縫い目２５１と、本体２の縁部に沿う縫い目２５２とにより収容空間Ｖ２が形成される。収容空間Ｖ２は、概ね本体２の巻き方向Ｘに亘って延びる。
【００１７】
収容空間Ｖ２内には、バンド３が収容される。バンド３は、収容空間Ｖ２の巻き方向Ｘの長さと略同じ長さである。バンド３は、巻き板バネとしての特性を有する金属等の板状部材であり、いわゆるパッチンバンドと同様の原理により巻き状態と伸び状態とを遷移する。
【００１８】
図２は、バンド２を示す断面図である。
バンド３は、伸び状態では、断面形状が本体２の内面側（図２中上側）に膨出した弓状となり、この状態を保持する。これにより、バンド３は、伸び状態では、本体２を開いた状態に保持する。
【００１９】
バンド３は、伸び状態において、一部が本体２の外面側（図２中下側）に変形する外力、具体的には断面形状が平坦になるように変形する外力を受けると、自立的に巻き状態に遷移する。
【００２０】
図３は、本体２を巻かれた状態にする操作例を示す図である。
使用者は、開いた状態の本体２を巻かれた状態にする際には、本体２の内面側を使用者に向け、両手で本体２の巻き方向における両端部を持つ。使用者は、例えば左手の親指でバンド３を押す。バンド３は、断面視における膨出側から押し込まれる力を受ける、すなわち押圧部位の断面形状が平坦になるように変形する外力を受ける。すると、バンド３は、外力を受けた部位から断面形状が平坦となり、この現象が瞬時に全体に広がって、丸まろうとする力が働く巻き状態（湾曲状態）に遷移する。バンド３が巻き状態に遷移する際には、「バチッ」と音がするので、使用者は、「バチッ」と音がするまでバンド３を押せばよい。
【００２１】
使用者が左手を本体２の巻き方向Ｘにおける他方側（図３中左側）から離すと、図４（Ａ）〜（Ｄ）に参照されるように、バンド３が本体２の巻き方向Ｘにおける他方側（図３、４中左側）から丸まっていき、最終的に巻かれた状態となる。バンド３が巻かれるのに伴い、本体２は、巻き方向Ｘの両端の部位が重なるまで巻かれる。なお、図４（Ａ）〜（Ｄ）は本体２が巻かれていく様子を描いた模式図であり、図４（Ｄ）のみペンスロット２２を描いている。
【００２２】
本体２が巻かれた際に、図４（Ｄ）に参照されるように、本体３の巻き方向Ｘにおける他方側（図３中左側）の端部は、本体３の巻き方向Ｘにおける一方側（図３中右側）の端部の例えば内側に位置する。本体３の巻き方向Ｘにおける他方側の端部は、本体３の巻き方向Ｘにおける一方側のペンスロット２２１の近傍に位置する、または当接した状態となる。ペンスロット２２は、本体２の内側にて周方向に並んだ状態となる。
【００２３】
以上のように、本実施形態では、開いた状態の本体２においてバンド３を押すだけで、簡単に本体２を巻かれた状態にでき、また巻かれた状態に保持できる。これにより、本体２の内部にペンや消しゴム等が収容され、ペンケース１を持ち運ぶことができるようになる。
【００２４】
また、本実施形態では、巻き方向Ｘにおける一方側（図３中右側）の端にあるペンスロット２２１を、本体２の端部から離して設けている。本体２が巻かれた際に、ペンスロット２２１は、巻き方向Ｘにおける本体２の他方側（図３中左側）の端部が当たることにより、本体２の巻き止めとして機能する。
【００２５】
本実施形態では、バンド３が本体２の幅方向Ｙにおける中央部にあるので、バンド３により効率よく本体２を巻くことができる。
【００２６】
図５は、巻かれた状態の本体２において、外面側に位置する本体２の端部を示す図である。
図５の本体２の端部において、幅方向Ｙにおける中央部は、バンド３から内側に向けて力を受けることにより、内側に沈みこみやすくなる。また、これにより本体２の幅方向Ｙにおける両端部は、外側に跳ね上がりやすくなる。
【００２７】
本実施形態では、本体２の端部に芯材２５が設けられており、芯材２５は、バンド３の幅方向Ｙにおける両側に亘って延びる。このため、本実施形態では、本体２が巻かれた状態の際に、この芯材２５により、端部を本体２の外面に沿った直線形状にでき、ペンケース１の外観を良好にできる。
【００２８】
巻かれた状態のペンケース１を開いた状態にする際には、使用者は、まず、両手で本体２の巻き方向Ｘの両端部を持ち、本体２を巻き方向Ｘに開く。続いて使用者は、バンド３から「バチッ」と音がするまで、本体２を開くことであるいは左右の手の中指等で下からバンド３を押し上げることで、バンド３を伸び状態に遷移させる。すなわち、バンド３全体の断面形状を、本体２の内面側に膨出した弓状にする。
【００２９】
本実施形態では、このように、巻かれた状態の本体２を開く等するだけで、簡単にバンド３を伸び状態にでき、また伸び状態に保持できる。これにより、使用者は、ペンケース１をトレーとして使用できるようになる。
【００３０】
（変形例）
本体２の巻き方向Ｘの長さは、幅方向Ｙよりも短くてもよい。ペンスロット２３の長さは、ペン先からペン尻側にまで至る長さでもよく適宜でよい。収容空間Ｖ１，Ｖ２を形成するために外面用生地２１１と内面用生地２１２とを綴じる方法として、実施形態では糸によって縫うことを例示したが、外面用生地２１１と内面用生地２１２とを接着剤で接着してもよく、適宜の手段を採用できる。外面用生地２１１、内面用生地２１２、本体２の内面側に設けられるペンスロット２２等の保持部の生地には、綿や麻等の天然素材や、ポリエステル等の合成樹脂、皮が使用されていてもよい。該生地は、本体２を湾曲または巻くことができれば、適宜のものを利用できる。開いた状態の本体２の形状は、実施形態では矩形を例示したが、丸や楕円など適宜の形状であってよい。
【００３１】
本体２の内面側に設けられる保持部であって、物品を保持する保持部の例として、実施形態ではペンスロット２２や消しゴム入れ２４を例示した。しかし、保持部は、両端が本体２に接続し、本体２との間でシャーペン、ボールペン、鉛筆、万年筆等のペンや、毛筆、定規等を挟むゴム製等のバンドであってもよい。また、保持部は、付箋や定規、記録メディア等を収容するポケットであってもよく、多様な形態をとり得る。
【００３２】
芯材２５は、実施形態では、本体２の巻き方向Ｘにおける一方側の端部にのみ設けられていたが、本体２の巻き方向Ｘにおける両端部に設けられていてもよい。芯材２５は、幅方向Ｙ（ベルト３の延びる方向に直交する方向）においてベルト３の両側に亘って幅方向Ｙに延びるように配置されることが好ましい。
【００３３】
バンド３は、本体２内に収容されていなくてもよく、本体２の内面または外面に設けられていてもよい。この場合、バンド３は、本体２に縫い付け等された生地内に収容されたり、本体２に対して接着等によって取り付けられたりしてもよい。バンド３の取り付け位置として、実施形態では、開いた状態の本体２に対し、ペンスロット２２や消しゴム入れ２４等の保持部、および芯材２５と重ならない位置を例示し、その一例として、本体２の幅方向Ｙの中央部を示した。しかし、バンド３の取り付け位置は、保持部や芯材２５と重なる位置であってもよく、適宜の位置でよい。バンド３は、本体２に複数取り付けられていてもよい。バンド３は、伸び状態において、断面視が、中央部が折れ曲がった三角形状（くの字状）であってもよく、面外方向に膨出した形状であればよい。
【００３４】
図６は、開いた状態のペンケース１Ａを示す平面図である。
ペンケース１Ａでは、本体２Ａの幅方向Ｙの一方側（図６中上側）の端部内にバンド３１Ａが収容され、他方側（図６中下側）の端部内にバンド３２Ａが収容される。バンド３１Ａは、平面視でペンスロット２２Ａおよびポケット２４Ａと重なる。バンド３２Ａは、平面視でフラップ３Ａおよびポケット２４Ａと重なる。ペンスロット２２Ａは、実施形態よりも長く、ペン先からペンの胴部までを保持できる。フラップ３Ａも、実施形態よりも長く、通常の長さのペンであれば、ペン尻から胴部にかけて覆うことができる。ポケット２４Ａは、本体２Ａの幅方向Ｙに亘る長さになっており、付箋や定規、記録メディア等を収容できる。
【００３５】
図７は、ペンケース１Ｂを示す斜視図である。
実施形態では、バンド３，３１Ａ，３２Ａにより自律的に本体２が巻かれる状態となる例を示した。なお、本体２が巻かれるとは、巻き方向Ｘにおける両端部が少なくとも重なるように本体２が湾曲されることを指す。実施形態に対し、本例のように、バンド３Ｂはフラップ７を湾曲させるために用いられてもよい。
【００３６】
ペンケース１Ｂは、ポーチ８およびフラップ７を備える。ポーチ８は、長手状であり、長手方向の側面視で底から頂上部にかけて窄んでいる。ポーチ８の頂上部には、不図示のファスナーがある。ファスナーを開閉することで、ポーチ８の内部にペン等を収容できる。ポーチ８の底部にフラップ７の一端が接続する。フラップ７は、開いた状態の際に、ポーチ８の一方の側面８１側に位置することとなる。ポーチ８の他方の側面を側面８２と記載する。
【００３７】
フラップ７は、フラップ本体２Ｂおよびバンド３Ｂを備える。フラップ本体２Ｂは、開いた状態および湾曲した状態にされ、内面側に物品の保持部として、ポケット２４Ｂおよびペンスロット２２Ｂを備える。フラップ本体２Ｂは、開いた状態で矩形である。フラップ本体２Ｂにおいて、湾曲方向Ｘと直交する幅方向Ｙの両端側にフラップ２４Ｂが設けられ、幅方向Ｙの中央に複数のペンスロット２２Ｂが設けられる。ペンスロット２２Ｂは、輪状であり、通されたペンの胴部を保持する。
【００３８】
バンド３Ｂは、フラップ本体２Ｂの幅方向Ｙの中央部内に、湾曲方向Ｘに沿って設けられる。バンド３Ｂは、伸び状態では、断面形状がフラップ本体２Ｂの内面側（図７中上側）に膨出した弓状となり、この状態を保持する。これにより、バンド３Ｂは、伸び状態では、フラップ本体２Ｂを開いた状態に保持する。
【００３９】
図８（Ａ）〜（Ｃ）は、フラップ本体２Ｂが閉じる様子を示す模式図である。
使用者は、開いた状態のフラップ本体２Ｂを閉める際には、ポーチ８から離れる側の端部を持ち、図８（Ａ）に示すように、バンド３Ｂの端部を「バチッ」と音がするまで押す。バンド３Ｂは伸び状態から湾曲状態に遷移し、バンド３Ｂに丸まろうとする力が働く。
【００４０】
図８（Ｂ）、（Ｃ）に示すように、使用者がフラップ本体２Ｂの端部をポーチ８の頂部まで誘導してから手をフラップ本体２Ｂから離すことによって、あるいはバンド３Ｂから受ける力のみによって、フラップ本体２Ｂは、ポーチ８の一方の側面８１から他方の側面８２までを覆う湾曲した状態、換言するとポーチ８の上部を覆う状態にされる。フラップ本体２Ｂは、バンド３Ｂによりこの湾曲した状態に保持されるので、この状態でペンケース１Ｂを持ち運ぶことができる。
【００４１】
反対に、フラップ本体２Ｂを閉じた状態から開いた状態にする際には、フラップ本体２Ｂの端部をもち、フラップ本体２Ｂをめくって開く。そして、指でバンド３Ｂを下方から押す等してバンド３Ｂを伸び状態にする。このようにすると、バンド３Ｂによりフラップ本体２Ｂが開いた状態で保持される。
【００４２】
ここで、フラップ７を閉める機構として、フラップ７側にボタンホックの雄ホックを設け、該雄ホックをポーチ８の側面８２側に設けた雌ホックに接合させることが考えられる。このような構成では、フラップ７を閉めた際に、ホックを接合させるためにフラップ８の位置を左右上下させて調整する必要がある。また、このような構成では、フラップ７を開ける際にホックを外さなければならず、特に女性や子供にとっては大きな力が必要である。
【００４３】
一方、本変形例では、バンド８を軽く押すだけでフラップ７を閉めることができるので、フラップ７を容易に閉めることができる。また、フラップ７を開ける際にも大きな力は不要であり、簡単にフラップ７をあけることができる。また、本変形例では、フラップ７によるペンの閲覧性と、ポーチ８によるペンや小物の収容力とを両立できる。
【００４４】
なお、フラップ７を閉じた状態の保持を補助するため、フラップ本体２Ｂおよび側面８２に面ファスナー等の綴じ具を設けてもよい。
【００４５】
図９は、縦型のペンケース１Ｃを示す模式図である。
本変形例では、ポーチ８Ｃは、円筒状であり、縦置きで使用される。ポーチ８Ｃには、縦に開け閉めできる不図示のファスナーが設けられる。フラップ７Ｃは、フラップ本体２Ｃと、バンド３Ｃとを備える。フラップ本体２Ｃは、開いた状態では矩形であり、一端がポーチ８Ｃの側面８３に接続し、図９の横方向に開け閉めできるようになっている。フラップ本体２Ｃの内面側には、縦にペンを保持する不図示のペンスロットが設けられている。フラップ本体２Ｃの幅方向Ｙにおける中央部内に、バンド３Ｃが設けられている。
【００４６】
フラップ７Ｃは、閉まった状態では、ポーチ８Ｃの側面８３に巻き付くように湾曲した状態とされ、この状態がバンド３Ｃにより保持される。フラップ７Ｃの閉まった状態の保持を補助するため、フラップ本体２Ｃの内面側およびポーチ８Ｃの側面８３に面ファスナー等の綴じ具を設けてもよい。
【００４７】
上記２つの変形例では、フラップ７Ｂ，７Ｃの幅方向Ｙの長さは、ポーチ８，８Ｃの幅方向Ｙに亘る長さであったが、ポーチ８，８Ｃの幅方向Ｙにおける一部分の長さ（例えば半分）しかなくてもよい。
【００４８】
本発明は、その特徴から逸脱することなく、実施形態で実施できる。実施形態、変形例、効果は単なる例示であり、本発明を限定するものとして解釈されるべきではない。実施形態および変形例の特徴、構造は、追加でき、また代替の構成を得るために様々な方法で組み合わせることができる。
【符号の説明】
【００４９】
１，１Ａ〜１Ｃ…ペンケース（物品入れ）、２，２Ａ、２Ｂ…本体、２Ｃ…フラップ本体（本体）、３、３Ｂ，３Ｃ，３１Ａ，３２Ａ…バンド、２２，２２１…ペンスロット（保持部）、２５、２５Ａ…芯材、Ｘ…巻き方向、湾曲方向（第２方向）、Ｙ…幅方向（第１方向）。
【図１】
2020110263.tif 000003
【図２】
2020110263.tif 000004
【図３】
2020110263.tif 000005
【図４】
2020110263.tif 000006
【図５】
2020110263.tif 000007
【図６】
2020110263.tif 000008
【図７】
2020110263.tif 000009
【図８】
2020110263.tif 000010
【図９】
2020110263.tif 000011